(57)【特許請求の範囲】
【請求項１】
組み込み可能な電池パック（２００）によって動作する電気機器（１００）用の再始動防止システム（１０２）であって、当該再始動防止システムは制御装置（１５０）を含んでおり、
当該制御装置（１５０）は、電池パック（２００）が組み込まれている状態においてメインスイッチ（１４０）が操作されると前記電気機器（１００）を動作させるように構成されており、
前記電気機器（１００）のコンタクト装置（１０１）と前記電池パック（２００）のコンタクト装置（２０１）は、相補関係にあるコンタクト部材（１１１、１１２、１２１、１２２、１２３、２１１、２１２、２２１、２２２、２２３）をそれぞれ含んでおり、当該コンタクト部材はそれぞれ、前記電気機器（１００）の動作時に前記電気機器（１００）と前記電池パック（２００）との間の第１の電気接続と第２の電気接続（３０１、３０２）とをそれぞれ形成する第１のインタフェースと第２のインタフェース（１１０、１２０、２１０、２２０）とを形成する、再始動防止システムにおいて、
前記第１の電気接続（３０１）は、前記電池パック（２００）による前記電気機器（１００）のエネルギー供給に用いられ、
前記第２の電気接続（３０２）は、前記電池パック（２００）と前記電気機器（１００）との間のコミュニケーション接続部として形成されており、
前記電池パック（２００）の組み込み時に、前記第１の電気接続（３０１）を前記第２の電気接続（３０２）よりも時間的に前に形成するように前記コンタクト装置（１０１、２０１）が構成されており、
前記メインスイッチ（１４０）が操作されている状態において前記第１の電気接続（３０１）が前記第２の電気接続（３０２）よりも時間的に前に形成される場合には、前記電気機器（１００）が動作するのを阻止するように前記制御装置（１５０）が構成されている、
ことを特徴とする、組み込み可能な電池パック（２００）によって動作する電気機器（１００）用の再始動防止システム（１０２）。
【請求項２】
前記スイッチ（１４０）が操作されている状態において前記第２の電気接続（３０２）が前記第１の電気接続（３０１）よりも時間的に前に解除される場合には前記電気機器（１００）を停止状態にするように前記制御装置（１５０）が構成されている、請求項１記載の再始動防止システム（１０２）。
【請求項３】
コンタクト装置（１０１、２０１）の前記第２のインタフェース（１２０、２２０）の少なくとも１つのコンタクト部材（１２１、１２２、１２３、２２１、２２２、２２３）は、相応するコンタクト装置（１０１、２０１）の第１のインタフェース（１１０、２１０）のコンタクト部材（１１１、１１２、２１１、２１２）に対して、前記電池パック（２００）の挿入方向（２０２）において空間的にずれて配置されている、請求項１または２記載の再始動防止システム（１０２）。
【請求項４】
前記電池パック（２００）の挿入方向（２０２）における長さに関して、コンタクト装置（１０１、２０１）の前記第２のインタフェース（１２０、２２０）の少なくとも１つのコンタクト部材（１２１、１２２、１２３、２２１、２２２、２２３）は、相応するコンタクト装置（１０１、２０１）の前記第１のインタフェース（１１０、２１０）のコンタクト部材（１１１、１１２、２１１、２１２）よりも短く形成されている、請求項３記載の再始動防止システム（１０２）。
【請求項５】
機械的な遅延装置が設けられており、当該機械的な遅延装置は、前記電池パック（２００）の組み込み時に前記第２の電気接続（３０２）の形成を時間的に遅延させるように構成されている、請求項１から４までのいずれか１項記載の再始動防止システム（１０２）。
【請求項６】
機械的なイネーブル化装置が設けられており、当該機械的なイネーブル化装置は、前記電池パック（２００）が取り外されると直ちに、コンタクト装置（１０１、２０１）の前記第２のインタフェース（１２０、２２０）の少なくとも１つのコンタクト部材（１２１、１２２、１２３、２２１、２２２、２２３）を機械的にブロックし、
当該機械的なイネーブル化装置は、前記第１の電気接続（３０１）の形成後に時間的に遅延して、当該ブロックされているコンタクト部材（１２１、１２２、１２３、２２１、２２２、２２３）をイネーブル化するように構成されている、請求項１から５までのいずれか１項記載の再始動防止システム（１０２）。
【請求項７】
電気的なイネーブル化装置が設けられており、当該電気的なイネーブル化装置は、前記電池パック（２００）が取り外されると直ちに、コンタクト装置（１０１、２０１）の前記第２のインタフェース（１２０、２２０）の少なくとも１つのコンタクト部材（１２１、１２２、１２３、２２１、２２２、２２３）を電気的にブロックし、
当該電気的なイネーブル化装置は、前記第１の電気接続（３０１）の形成後に時間的に遅延して、当該ブロックされているコンタクト部材（１２１、１２２、１２３、２２１、２２２、２２３）をイネーブル化するように構成されている、請求項１または２記載の再始動防止システム（１０２）。
【請求項８】
前記電気的なイネーブル化装置は少なくとも１つのスイッチを含んでおり、当該スイッチは、前記電池パック（２００）の取り外し時に、前記第２の電気接続（３０２）の電流回路を遮断する、請求項７記載の再始動防止システム（１０２）。
【請求項９】
前記スイッチはロック機構（１８０）によって操作され、当該ロック機構によって、前記電池パック（２００）は、前記電気機器（１００）のケーシング（１３０）に固定される、請求項８記載の再始動防止システム（１０２）。
【請求項１０】
前記電池パック（２００）の取り付け時に前記電気機器（１００）の動作が阻止された後に、前記メインスイッチ（１４０）が再び操作されると、前記電気機器（１００）を動作させるように前記制御装置（１５０）は構成されている、請求項１から９までのいずれか１項記載の再始動防止システム（１０２）。
【請求項１１】
請求項１から１０までのいずれか１項に記載されている再始動防止システム（１０２）を備えた電気機器（１００）。
【請求項１２】
請求項１から１０までのいずれか１項に記載されている再始動防止システム（１０２）を備えた電池パック（２００）。
【発明の詳細な説明】
【技術分野】
【０００１】
本発明は、交換可能な電池パックによって動作する電気機器用の防止システムに関する。この防止システムは、電池パック交換後の、電気機器の意図していない再始動を阻止する。本発明はさらに、このような防止システムを備えた電気機器に関する。
【０００２】
従来技術
電気で動作する機器、例えば手持ち式工作機械には、意図された動作のために、これに必要な電気エネルギーが供給されなければならない。このような電気機器を電源網に依存せずに、柔軟に使用するために、電流供給は電池によって行われる。手持ち式工作機械の場合にはこのためにしばしば、再充電可能な電池が使用される。この電池はコンパクトな電池パックの形状で形成されている。バッテリーパックとも称されるこの電池パックは取り外し可能に、各機器の相応の収容装置内に取り付けられ、これによって電池パックの外部充電ないしは交換が可能になる。
【０００３】
電池パックを電気機器に電気的に接続するために、２つの部分に、相補関係にあるコンタクト部材が設けられている。このコンタクト部材はここでインタフェースを形成し、これは電気機器の電流供給にも、電池と電気機器の間のデータ交換にも使用される。電池組み込み時に、電池パックは電気機器の電池収容部内に挿入される。これによって２つの部分のコンタクト部材が相互に接続される。電池パックのメインコンタクトが電気機器のメインコンタクトと接触接続するやいなや、電気機器に電流が供給される。この時点で電気機器のメインコンタクトが既にスイッチオンされている場合には、電池パックの組み込み時に電気機器が動作されてしまう。これは、電気機器の不所望な再始動を引き起こしてしまう恐れがある。さらに、従来の電気機器では火花形成によって、コンタクト部材で典型的な損耗現象が生じることがある。なぜなら、メインスイッチがスイッチオンされている場合には、メインコンタクトの接触接続は無電流では行われないからである。
【０００４】
発明の開示
本発明の課題は、電池パックによって動作する電気機器において、電池パック交換後の不所望な再始動を阻止することである。上述の課題は、請求項１に記載されている防止システムによって解決される。さらに上述の課題は、この種の防止システムを含んでいる請求項１２の電気機器によって解決される。本発明の別の有利な実施形態は、従属請求項に記載されている。
【０００５】
本発明では、制御装置を有している、組み込み可能な電池パックによって動作する電気機器のための防止システムが設けられる。ここでこの制御装置は、電池パックが組み込まれている状態でメインスイッチが操作されると、電気機器を動作状態にするように構成されている。ここで電気機器は、複数のコンタクト部材を備えたコンタクト装置を含んでいる。これらのコンタクト部材は、電池パックの組み込み時に、電池パックのコンタクト装置の相応のコンタクト部材と接触接続し、これによって、電気機器と電池パックとの間に第１のおよび第２の電気接続が形成される。ここでこの第１の電気接続は相補関係にある第１のコンタクト部材によって形成され、第２の電気接続は、相補関係にある第２のコンタクト部材によって形成される。ここではコンタクト装置が形成されており、電池パックの組み込み時に第１の電気接続を、第２の電気接続より早期に形成する。これに対して制御装置は、スイッチが操作されている状態において、第１の電気接続が第２の電気接続より早期に形成される場合には電気機器が動作状態になるのを阻止するように構成されている。これによって、電池交換後の電気機器の誤った再始動を阻止する効果的な再始動防止が実現される。さらにこれによって、通常は、スイッチオンされている機械に電池パックを挿入したときに生じる火花形成が阻止される。これによって、電池パックと電気機器のコンタクトが効果的に、損耗から保護される。
【０００６】
第１の実施形態では、メインスイッチの操作時に第２の電気接続が第１の電気接続よりも時間的に前に解除される場合には、電気機器を停止状態にするように制御機器が構成されている。これによって自動的なスイッチオフ機能が実現され、動作中の機器からの電池パックの取り出し時ないしは落下時に、パワーエレクトロニクスがスイッチオフされる。電池パックの取り外しが、無電流ないしはパワーの無い状態で行われるので、火花形成が阻止される。従ってさらに、電池パックおよび電気機器のコンタクトが効果的に、損耗から保護される。
【０００７】
本発明の別の実施形態では、コンタクト装置の第２のインタフェースの少なくとも１つのコンタクト部材が、相応するコンタクト装置の第１のインタフェースのコンタクト部材に対して、電池パックの差し込み方向において空間的にずらして配置されている。これによって、特に容易に、第１および第２のインタフェースのコンタクト部材の接触接続時、ひいては第１および第２の電気接続の形成時に時間的な遅延が得られる。
【０００８】
別の実施形態では、コンタクト装置の第２の電気的なインタフェースの少なくとも１つのコンタクト部材が、相応するコンタクト装置の第１のインタフェースのコンタクト部材よりも短く形成されている。この択一的な手法によっても、２つのインタフェースのコンタクト部材の接触接続時、ひいては第１および第２の電気接続の形成時の遅延が非常に容易に実現される。
【０００９】
別の実施形態では、機械的な遅延装置が設けられる。これは、電池パックの組み込み時に第２の電気接続の形成を時間的に遅延させるように構成されている。これによって例えば所望の遅延が、２つの電気接続の形成時に、電池パックの差し込み速度とは無関係に形成される。
【００１０】
別の実施形態では、機械的なイネーブル化装置が設けられている。このイネーブル化装置は、電池パックが取り外されると、第２の電気接続の少なくとも１つのコンタクト部材を機械的にブロックするように構成されている。ここでこの機械的なイネーブル化装置は、ブロックしたコンタクト部材を時間的に遅延して、第１の電気接続の形成後にイネーブル化するように構成されている。コンタクト部材の機械的なブロックによって、接触接続の順番が特に容易に、かつ効果的に保証される。さらに、これによって、電池パック取り外し時に開放されているないしは露出しているコンタクト部材の機械的な保護が実現される。
【００１１】
別の実施形態では、電気的なイネーブル化装置が設けられている。このイネーブル装置は、電池パックが取り外されると、第２の電気接続の少なくとも１つのコンタクト部材を電気的にブロックする。ここでこの電気的なイネーブル化装置は、ブロックしたコンタクト部材を時間的に遅延して、第１の電気接続の形成後にイネーブル化するように構成されている。この択一的な手法も、２つの電気接続の形成時の充分な時間的遅延を実現する。
【００１２】
別の実施形態では、この電気的なイネーブル化装置は、少なくとも１つのスイッチを含んでおり、このスイッチは第２の電気接続の電流回路を、電池パック取り外し時に遮断する。このスイッチによって、第２の電気接続の形成が、コンタクト部材の接触接続とは無関係に行われる。殊に、別の実施形態の場合には、このスイッチはロック機構によって操作される。このロック機構は、電気機器のケーシングに電池パックを固定するために用いられる。ロック機構は通常、電池パックが相応する収容装置内に完全に挿入された後にはじめて機能するので、これによって、第２の電気接続が第１の電気接続の後に時間的に遅延して形成されることが保証される。
【００１３】
別の実施形態では、第１の電気接続が、電池パックによる電気機器のエネルギー供給に用いられ、第２の電気接続が、電池パックと電気機器との間のコミュニケーション接続部として形成される。電池パックの組み込みによって開始される、制御装置の初期化過程時には、ここでいずれにせよ行われる、コミュニケーションインタフェースの問い合わせに基づいて、メインスイッチがスイッチオンされている状態で、電池が組み込まれたことが確認される。従って、本発明のコンセプトは、大きなコストをかけずに、既存の電気機器内に実装される。
【００１４】
最後に、制御装置は、別の実施形態では、電池パックの組み込み時に電気機器の動作が阻止された後にスイッチが再び操作されると直ちに電気機器を動作状態にするように構成されている。これによって、ユーザーによって行われる、電気機器の所望の動作のみが実際に始動につながることが保証される。
【００１５】
以下で本発明を図面に基づいてより詳細に説明する。
【図面の簡単な説明】
【００１６】
【図１】電池パックが組み込まれている本発明による電気機器の例
【図２】図１に示された電気機器の本発明による防止システムの概略図
【図３】図１に示された電気機器と属する電池パックの、本発明によるコンタクト装置の第１の実施例
【図４】電池パック組み込み過程中の、図３に示されたコンタクト装置
【図５】電池パックが組み込まれている状態の、図３および図４に示されたコンタクト部材装置
【図６】異なって形成されているコンタクト部材を備えた本発明のコンタクト装置の別の実施例
【図７】異なって形成されているコンタクト部材を備えた本発明のコンタクト装置の別の実施例
【図８】異なって形成されているコンタクト部材を備えた本発明のコンタクト装置の別の実施例
【実施例】
【００１７】
図１は、本発明の電気機器１００を示している。この電気機器は、組み込み可能な電池パック２００によって動作する。有利には手持ち式工作機械（例えばコードレスドライバー、コードレスドリル等）として形成されている電気機器１００は、ケーシング１３０を有している。このケーシング１３０内には、電力部分１６０（この場合には電気モーター）が収容されている。さらに電気機器１００は、この電力部分１６０を制御するための制御装置１５０並びに、電気機器１００を動作させる操作部材の形態のメインスイッチ１４０を有している。電気機器１００の電流供給は、電気機器１００のケーシング１３０に、ないしはケーシング１３０内に組み込まれている電池パック１００を介して行われる。簡単に電池交換が行えるようにするために、電池パック２００は有利には容易に取り外し可能にケーシング１３０に取り付けられている。本実施例ではこのために、特別な収容装置１７０が、グリップとして用いられる、コードレスドライバー１００のケーシング部の下方領域に配置されている。電池パック２００の組み込みは、相応の収容装置１７０内への差し込みによって行われる。この例では、コンタクト装置２０１を含んでいる、電池パック２００の前方部分が、矢印によって示されている挿入方向２０２で、電動工具１００のグリップによって形成されているシャフト内に挿入される。これと相応に、電池パック２００は、電池交換の過程において収容装置１７０から取り出される。この際に、電池パックの２００の前方部分は、逆方向で、シャフト状グリップから引き出される。電池パック２００を電気機器１００に接続するために、収容装置１７０もコンタクト装置１０１を有している。各コンタクト装置１０１、２０１はここで複数のコンタクト部材を含んでいる。これらのコンタクト部材は、相補的に形成されている、対抗部分のコンタクト部材と共働する。コンタクト装置１０１、２０１のコンタクト部材はそれぞれ、電流接続を形成するための第１のインタフェースと、コミュニケーション接続を形成するための第２のインタフェースを形成する。本発明ではこれらのコンタクト部材は、２つのコンタクト装置１０１、２０１のうちの少なくとも１つにおいて次のように構成されている。すなわち、収容装置１７０内への電池パック２００の差し込み時に、コミュニケーション接続が電流接続よりも遅延して形成されるように構成されている。
【００１８】
組み込み位置で電池パック２００は通常、ロック機構１８０を用いて、収容装置１７０から落下しないようにされている。ロック機構１８０はここで例えば保持部材を含んでおり、これは、組み込み位置に達したときに、相応のアンダーカット部に噛み合う（ここでは図示されていない）。
【００１９】
制御装置１５０は、電池パック２００が組み込まれている状態でメインスイッチ１４０が操作されると、電気モーター１６０を動作させるように構成されている。電池パック２００の組み込み時に、機械１００がメインスイッチ１４０の操作によって、誤って始動してしまうのを阻止するために、電気機器１００には、本発明の防止システム１０２が設けられている。この防止システム１０２は、特別なコンタクト装置を含んでいる。ここでは、２つのコンタクト装置１０１、２０１のうちの少なくとも１つのコンタクト装置のコンタクト部材を適切に形成することによって、電流接続に対して、コミュニケーション接続の形成時に、遅延が実現される。さらに、この防止システム１０２は制御装置を含んでいる。この制御装置は、電池の組み込みを、コミュニケーション接続形成時の遅延に基づいて識別し、このような場合に電気機器１００の動作を阻止する。このような機能は本実施例では、電気機器１００の制御ユニット１５０内に組み込まれている。基本的にこの制御機能は、電気機器１００または電池パック２００の別個の制御ユニット内に実現されてもよいる。
【００２０】
防止システム１０２の概略的な図が、図２に示されている。ここでは、電池パック２００が相応のインタフェースを介して収容装置１７０のコンタクト装置と電気的に接続されていることが分かる。この図では第１の電気接続が、一方向矢印を用いて示されている。この第１の電気接続は通常、電流供給に用いられ、電池パックと電気機器の２つのメインコンタクトによって実現されている。さらに、例えば双方向コミュニケーション接続として形成されている第２の電気接続が相応の矢印を用いて示されている。収容装置１７０は、相応の線路を介して制御装置１５０と接続されている。この線路を介して、コミュニケーション信号も給電電圧も、制御装置１５０に伝送される。メインスイッチ１４０も、相応の線路を介して制御装置１５０に接続されている。制御装置は、メインスイッチ１４０の目下のスイッチング状態を問い合わせる。択一的に電流供給を、メインスイッチを介して制御装置に導くことができる。最終的に制御装置１５０は、相応の線路１５０を介して、電気機器１００のパワーコンポーネント１６０と電気的に接続されており、パワーコンポーネント１６０は相応の信号によって、所定の動作状態に即して駆動制御される。
【００２１】
電池パックの組み込みを識別するために、および、メインスイッチ４１が動作状態である場合に、パワーユニット１６０の動作を阻止するために、本発明のコンセプトでは、電流接続に対して、コミュニケーション接続の形成時に遅延が設定される。このような遅延はここで種々の方法で実現される。殊に適切な遅延が、電気機器１００および／または電池パック２００のコンタクト部材の特別な設計ないしは配置によって実現される。
【００２２】
図３はこの種のコンタクト装置の例を示している。ここではコミュニケーション接続のコンタクト部材が、電流接続のコンタクト部材に比べて短く形成されている。ここでは、電気機器１００のコンタクト装置１０１と、これと相補関係にある、電池パック２００のコンタクト装置２０１とが示されている。機器側のコンタクト装置１０１は、相互に平行に配置されている５つのコンタクト部材１１１、１１２、１２１、１２２、１２３を含んでいる。ここで２つの外側コンタクト部材１１１、１１２は、電気機器１００の電流インタフェース１１０を示している。また内側のコンタクト部材１２１、１２２、１２３は、電気機器１００のコミュニケーションインタフェース１２０を形成する。同様に、電池側のコンタクト装置２０１も、平行に配置された５つのコンタクト部材２１１、２１２、２２１、２２２、２２３を有している。ここで外側のコンタクト部材２１１、２１２は電流供給インタフェース２１０を示しており、内側のコンタクト部材２２１、２２２、２２３はコミュニケーションインタフェース２２０を形成する。この実施例では、機器側のコミュニケーションインタフェース１２０のコンタクト部材は、機器側の電流インタフェース１１０のコンタクト部材よりも短く形成されている。従って、差し込み方向２０２に関して相互にずれている２つのコンタクト線路Ｃ１、Ｃ２が得られる。これに対して相補的な電池パック２００のコンタクト装置２０１でも、コミュニケーションインタフェース２２０のコンタクト部材２２１、２２２、２２３は、属するメインコンタクト２１１、２１２よりも短く形成されており、ここでも、差し込み方向２０２に関して相互にずれている２つのコンタクト線Ｃ３、Ｃ４が得られる。
【００２３】
インタフェース１１０および１２０並びに２１０および２２０のコンタクト線が異なっているので、収容装置内への電池パック挿入時に、まずはじめに、２つの電流インタフェース１１０、２１０の長いコンタクト部材が相互に接触する。これは、図４に示されている。電気機器の電流供給が形成されると直ちに、制御装置１５０はスタートアッププロシージャを開始する。ここではコミュニケーションインタフェース１２０の問い合わせも行われる。コミュニケーション接続はこの時点ではまだ形成されていないので、測定信号は所定の範囲外にある。これは制御装置１５０によってエラーとして評価される。この場合に制御装置１５０は、メインスイッチ１４０がこの時点で活動状態にされる、ないしは既にスイッチオンされている場合に、機器１００が動作するのを阻止する。パワーエレクトロニクスが駆動されないので、機器１００の電気モーター１６０は始動しない。効果的な再始動防止を保証するために、電気機器１００の動作ないしはパワーエレクトロニクスの駆動制御を次の場合にも阻止することが有効である。すなわち、収容装置１７０内へ電池パック２００をさらに挿入することによって、最終的に、２つのコミュニケーションインタフェース１１０、２１０のコンタクト部材も相互に接触する場合である。図５は、電池パック２００が完全に収容装置１７０内に挿入された相応の状況を示している。動作開始のために、制御装置１５０は解錠されなければならない。これは例えば、メインスイッチ４１を再び操作することによって行われる。用途に応じて、コミュニケーション接続の形成を遅延させる別の措置を講じることが有効である。従って例えば、付加的な機械的な遅延を組み込むことができ、これによって、マイクロプロセッサを立ち上げるのに必要な時間が、電池パックの挿入速度に依存せずに保証される。この関連において、コミュニケーションインタフェース１２０、２２０のコンタクト部材用の機械的なイネーブル化装置も考えられる。このようなイネーブル化装置（ここには図示されていない）によって、相応するコミュニケーションインタフェース１２０、２２０の個別のコンタクト部材ないしは全てのコンタクト部材が機械的な手段によってブロックされ、メインコンタクトの接触接続後に、接触接続が許可される。
【００２４】
しかし、電気手段によっても、コミュニケーション接続の形成時に相応の遅延が実現される。従って例えば、電気的なイネーブル化装置によって、コミュニケーション接続形成時の付加的な遅延が可能になる。この電気的なイネーブル化装置は、２つのうちの一方のコミュニケーションインタフェース１２０、２２０の１つまたは複数のコンタクト部材の電流回路を遮断し、この電流回路を、メインコンタクトの接触接続後に、再び閉成する。このような電気的なイネーブル化は例えば、コミュニケーション接続の電流回路内のスイッチによって実現される。このスイッチはここでは例えば、収容装置１７０内に電池パック２００を固定するロック機構によって操作される。
【００２５】
ここに記載したイネーブル装置は、電気機器１００内にも、電池パック２００内にも実現可能である。
【００２６】
後続の図６〜８は、２つのコンタクト装置１０１、２０１のコンタクト部材の設計に対する別の可能な実施例を示している。これによって、電気機器１００と電池パック２００との間の２つの電気接続３０１、３０２の形成時に遅延が設けられる。図６に示された装置では、電池側のコンタクト装置２０１においてのみ、コミュニケーションインタフェース２２０のコンタクト部材が、電流インタフェース２１０の対応するメインコンタクト２１１、２１２に比べて短く形成されている。これとは異なり、機器側のコンタクト装置１０１のコンタクト部材は同じ長さに形成されている。従って、共通のコンタクト線Ｃ１が得られる。これと同様に、機器側のコンタクト装置１０１のコンタクト部材のみが本発明と相応に修正され、電池側のコンタクト装置２０１のコンタクト部材が、共通のコンタクト線を有していてもよい。
【００２７】
このようなケースは図７に示されている。図３に示されている機器側のコンタクト装置とは異なり、この実施例では、コミュニケーションインタフェース１２０の３つのコンタクト部材のうちの１つのみが、短く形成されている。ここから、組み込み過程の確実な検出を可能にするためにコミュニケーションインタフェース１２０の全てのコンタクト部材が修正される必要があるのではないことが明らかである。
【００２８】
図６および７の例示された２つのコンタクト装置において、２つの接続パートナーである電気機器１００または電池パック２００の１つのみにおいてコンタクト装置１０１、１０２が修正されるので、完全な防止システム１０２を各接続パートナー１００、２００内に収容することが可能になる。これによって、既存の機器ないしは電池パックに対するコンパチビリティが実現される。従って、相応に形成された制御装置１５０並びに本発明と相応に修正されたコンタクト装置１０１を含む電気機器１００は一方では、従来の電池パックによっても、本発明に相応に動作される。他方では、相応の制御装置並びに本発明と相応に形成されたコンタクト装置２０１を有する電池パック２００は、従来の電気機器と、本発明の主旨において共動する。
【００２９】
上述の図３〜７に示した、異なる長さに形成されたコンタクト部材の他に、コミュニケーション接続３０２の形成時の遅延を、挿入方向２０２に対して平行な軸上でコンタクト部材をシフトさせることによって実現することもできる。図８は、例として、本発明のコンタクト装置を示している。ここでは所望の遅延が、コンタクト部材の長さを変えることによっても、コンタクト部材のポジショニングを変えることによっても実現される。
【００３０】
図面を用いて説明した実施形態は、単に、本発明の有利ないしは模範的な実施例である。上述した実施形態の他に、別の実施形態が可能である。これは特徴のさらなる変更並びに組み合わせを含み得る。殊に、ここに示したコンタクト部材は、任意のコンタクト、例えばすり接点、滑り接触またはプラグインコンタクトであってもよい。１つのインタフェースのコンタクト部材の数も、ここでは例として開示されているだけである。さらに、ここで使用されている用語「電池パック」は、通常の電池およびいわゆるバッテリーパックの他に、交換可能なエネルギー供給源の全ての形態、例えば燃料電池も含む。
【図１】
0005583228.tif 000002
【図２】
0005583228.tif 000003
【図３】
0005583228.tif 000004
【図４】
0005583228.tif 000005
【図５】
0005583228.tif 000006
【図６】
0005583228.tif 000007
【図７】
0005583228.tif 000008
【図８】
0005583228.tif 000009